(57)【要約】  高密度に実装された複数の発光素子からの出射光と発光素子を封止する樹脂に含まれる蛍光体による励起光とを混合させて得られる実際の光の色味と設計値とのずれを極力抑えた発光装置およびその製造方法を提供する。発光装置は、基板と、基板上に密集して実装された複数の発光素子と、蛍光体を含有せず、複数の発光素子の素子間に配置された第１の樹脂と、蛍光体を含有し、複数の発光素子の露出部の周囲を覆う第２の樹脂とを有する。
2016194404.tif 000002
【特許請求の範囲】
【請求項１】
基板と、
前記基板上に密集して実装された複数の発光素子と、
蛍光体を含有せず、前記複数の発光素子の素子間に配置された第１の樹脂と、
蛍光体を含有し、前記複数の発光素子の露出部の周囲を覆う第２の樹脂と、
を有することを特徴とする発光装置。
【請求項２】
前記複数の発光素子は、隣接する発光素子同士の間隔が５μｍ以上かつ５０μｍ以下になるように前記基板上に密集して実装されている、請求項１に記載の発光装置。
【請求項３】
前記第２の樹脂を覆うように前記基板上に載置された光学素子をさらに有する、請求項１または２に記載の発光装置。
【請求項４】
基板上に密集して複数の発光素子を実装する工程と、
蛍光体を含有しない第１の樹脂を前記複数の発光素子の素子間に配置する工程と、
蛍光体を含有する第２の樹脂で前記複数の発光素子の露出部の周囲を覆う工程と、
を有することを特徴とする発光装置の製造方法。
【請求項５】
前記配置する工程では、前記基板上に実装された前記複数の発光素子の素子間に側方から前記第１の樹脂を注入して前記複数の発光素子の素子間を前記第１の樹脂で塞ぐ、請求項４に記載の製造方法。
【請求項６】
前記第１の樹脂は、前記実装する工程において前記複数の発光素子を前記基板に接着させるための樹脂であり、
前記配置する工程では、前記第１の樹脂を前記複数の発光素子の素子間にはみ出させて前記複数の発光素子の素子間を前記第１の樹脂で塞ぐ、請求項４に記載の製造方法。
【発明の詳細な説明】
【技術分野】
【０００１】
本発明は、発光装置およびその製造方法に関する。
【背景技術】
【０００２】
セラミック基板や金属基板などの汎用基板の上にＬＥＤ（発光ダイオード）素子などの発光素子が実装されたＣＯＢ（Chip On Board）の発光装置が知られている。こうした発光装置では、蛍光体を含有する樹脂により例えば青色光を発光するＬＥＤ素子を封止し、ＬＥＤ素子からの光により蛍光体を励起させて得られる光を混合させることにより、用途に応じて白色光などを得ている。【０００３】
例えば、特許文献１には、ダイボンド用の実装面を有する高熱伝導性の放熱基台と、この放熱基台上に載置され、実装面の一部を露出する孔部及び放熱基台の外周縁より外方に張り出す張出部を有する回路基板と、孔部を通して実装面上に実装される発光素子と、この発光素子の上方を封止する透光性の樹脂体とを備え、張出部の外周縁に発光素子と導通するスルーホールを形成し、このスルーホールの上面及び下面に外部接続電極を設けた発光ダイオードが記載されている。【０００４】
また、特許文献２には、凹部が形成されたキャビティと、凹部の底部を貫通する状態でキャビティに取り付けられた凸状のヒートスラグ（台座部）と、ヒートスラグ上に搭載されたサブマウント基板と、サブマウント基板上に配置された複数のＬＥＤチップと、各ＬＥＤチップと電気的に接続するリードフレームと、各ＬＥＤチップを内包する蛍光体層と、凹部に封入されたシリコーン樹脂で形成されたレンズとを有するＬＥＤパッケージが記載されている。【０００５】
また、こうした発光装置の製造時には、例えば色度のバラつきを抑えるために、樹脂内に分散させた蛍光体を沈降させてから樹脂を硬化させることが行われている。例えば、特許文献３には、基板に撥液剤パターンを形成する工程と、基板における撥液剤パターンの内側にＬＥＤチップを実装する工程と、撥液剤パターンの内側に蛍光体を混練した封止樹脂を塗布する工程と、無風状態にて封止樹脂内の蛍光体を沈降させる工程とを含む発光素子パッケージの製造方法が記載されている。
【先行技術文献】
【特許文献】
【０００６】
【特許文献１】特開２００６−００５２９０号公報
【特許文献２】特開２０１０−１７０９４５号公報
【特許文献３】特開２０１２−０４４０４８号公報
【発明の概要】
【０００７】
発光装置の上にレンズなどの光学素子を搭載して出射光を集光する場合には、集光性を向上させるために、発光装置の発光部をなるべく小型化することが望ましい。ただし、発光部を１個の発光素子で実現しようとすると、必要な発光強度を確保するためには大型の発光素子を使用しなければならず、製造コストが上昇したり、発光素子への電流供給が不均一になって発光効率が悪くなったりするなどの不都合がある。そこで、複数の発光素子を高密度に実装して、必要な発光強度を確保しつつ小型の発光部を実現することが考えられる。
【０００８】
しかしながら、複数の発光素子を基板上に実装し、蛍光体を含有する樹脂によりそれらの発光素子を封止して、発光素子からの出射光と蛍光体による励起光とを混合させることにより目的の白色光などを得る発光装置では、実際の出射光の色味が目的の光の色味とは異なることがある。これは、短絡を防ぐために発光素子同士はある程度の間隔を開けて実装されるので、封止樹脂のうち発光素子同士の間を埋める部分にも蛍光体が含まれることにより、発光素子のどの面から光が出射されるかに応じて蛍光体層におけるその光の通過距離が異なることに起因する。発光素子からの出射位置および出射方向によって蛍光体層における光の通過距離が変化し、それに応じて蛍光体に対応する色の光の強度も変動するため、実際の出射光の色味を設計値に合わせることが難しくなる。
【０００９】
そこで、本発明は、高密度に実装された複数の発光素子からの出射光と発光素子を封止する樹脂に含まれる蛍光体による励起光とを混合させて得られる実際の光の色味と設計値とのずれを極力抑えた発光装置およびその製造方法を提供することを目的とする。
【００１０】
基板と、基板上に密集して実装された複数の発光素子と、蛍光体を含有せず、複数の発光素子の素子間に配置された第１の樹脂と、蛍光体を含有し、複数の発光素子の露出部の周囲を覆う第２の樹脂とを有することを特徴とする発光装置が提供される。
【００１１】
上記の発光装置では、複数の発光素子は、隣接する発光素子同士の間隔が５μｍ以上かつ５０μｍ以下になるように基板上に密集して実装されていることが好ましい。また、上記の発光装置は、第２の樹脂を覆うように基板上に載置された光学素子をさらに有することが好ましい。
【００１２】
また、基板上に密集して複数の発光素子を実装する工程と、蛍光体を含有しない第１の樹脂を複数の発光素子の素子間に配置する工程と、蛍光体を含有する第２の樹脂で複数の発光素子の露出部の周囲を覆う工程とを有することを特徴とする発光装置の製造方法が提供される。
【００１３】
上記の製造方法の配置する工程では、基板上に実装された複数の発光素子の素子間に側方から第１の樹脂を注入して複数の発光素子の素子間を第１の樹脂で塞ぐことが好ましい。上記の製造方法では、第１の樹脂は、実装する工程において複数の発光素子を基板に接着させるための樹脂であり、配置する工程では、第１の樹脂を複数の発光素子の素子間にはみ出させて複数の発光素子の素子間を第１の樹脂で塞ぐことが好ましい。
【００１４】
上記の発光装置およびその製造方法によれば、高密度に実装された複数の発光素子からの出射光と発光素子を封止する樹脂に含まれる蛍光体による励起光とを混合させて得られる実際の光の色味と設計値とのずれを極力抑えることが可能となる。
【図面の簡単な説明】
【００１５】
【図１】（Ａ）〜（Ｃ）は、発光装置１の上面図および断面図である。
【図２】発光装置１の拡大断面図である。
【図３】レンズ８０付きの発光装置１’の側面図である。
【図４】ＬＥＤ素子３０同士の実装間隔と発光装置１’の照度との関係を示すグラフである。
【図５】（Ａ）〜（Ｃ）は、発光装置１の製造工程を示す上面図および断面図である。
【図６】（Ａ）〜（Ｃ）は、発光装置１の製造工程を示す上面図および断面図である。
【図７】（Ａ）〜（Ｃ）は、発光装置１の製造工程を示す上面図および断面図である。
【図８】（Ａ）〜（Ｃ）は、発光装置１の製造工程を示す上面図および断面図である。
【図９】（Ａ）〜（Ｃ）は、発光装置２の上面図および断面図である。
【図１０】（Ａ）〜（Ｃ）は、発光装置２の製造工程を示す上面図および断面図である。
【図１１】（Ａ）〜（Ｃ）は、発光装置２の製造工程を示す上面図および断面図である。
【図１２】（Ａ）〜（Ｃ）は、発光装置２の製造工程を示す上面図および断面図である。
【図１３】（Ａ）〜（Ｃ）は、発光装置２の製造工程を示す上面図および断面図である。
【発明を実施するための形態】
【００１６】
以下、図面を参照しつつ、発光装置およびその製造方法について説明する。ただし、本発明は図面または以下に記載される実施形態には限定されないことを理解されたい。
【００１７】
図１（Ａ）〜図１（Ｃ）は、発光装置１の上面図および断面図である。図１（Ａ）は完成品としての発光装置１の上面図であり、図１（Ｂ）は図１（Ａ）のＩＢ−ＩＢ線に沿った断面図、図１（Ｃ）は図１（Ａ）のＩＣ−ＩＣ線に沿った断面図である。発光装置１は、発光素子としてＬＥＤ素子を含み、例えば照明用ＬＥＤ、ＬＥＤ電球などの種々の照明装置として利用される。発光装置１は、主要な構成要素として、実装基板１０、回路基板２０、ＬＥＤ素子３０、樹脂枠４０、封止樹脂５０、透明樹脂６０およびツェナーダイオード７０を有する。
【００１８】
実装基板１０は、一例としてほぼ正方形の形状を有し、その上面の中央にＬＥＤ素子３０が実装される実装領域を有する金属基板である。実装基板１０は、ＬＥＤ素子３０および後述する蛍光体の粒子により発生した熱を放熱させる放熱基板としても機能するため、例えば、耐熱性および放熱性に優れたアルミニウムで構成される。ただし、実装基板１０の材質は、耐熱性と放熱性に優れたものであれば、例えば銅など、別の金属でもよい。
【００１９】
回路基板２０は、一例として、実装基板１０と同じ大きさのほぼ正方形の形状を有し、その中心部に矩形の開口部２１を有する。回路基板２０は、その下面が例えば接着シートにより実装基板１０の上に貼り付けられて固定される。回路基板２０の上面には、＋電極側の配線パターン２２Ａと−電極側の配線パターン２２Ｂが形成されている。また、回路基板２０の上面で対角に位置する２つの角部には、発光装置１を外部電源に接続するための接続電極２３Ａ，２３Ｂが形成されている。接続電極２３Ａは＋電極、接続電極２３Ｂは−電極であり、これらが外部電源に接続されて電圧が印加されることによって、発光装置１は発光する。また、回路基板２０の上面には、開口部２１の外周部分および接続電極２３Ａ，２３Ｂの部分を除いて配線パターン２２Ａ，２２Ｂを覆う白色レジスト２４が形成されている（後述する図５（Ａ）を参照）。
【００２０】
ＬＥＤ素子３０は、発光素子の一例であり、例えば発光波長帯域が４５０〜４６０ｎｍ程度の青色光を発光する青色ＬＥＤである。発光装置１では、複数のＬＥＤ素子３０が、回路基板２０の開口部２１内で露出している実装基板１０の中央に、格子状に配列して実装される。図１（Ａ）では、特に１６個のＬＥＤ素子３０が実装された場合の例を示している。ＬＥＤ素子３０の下面は、例えば透明な絶縁性の接着剤などにより、実装基板１０の上面に固定される。また、ＬＥＤ素子３０は上面に一対の素子電極を有し、図１（Ａ）に示すように、隣接するＬＥＤ素子３０の素子電極は、ワイヤ３１により相互に電気的に接続される。開口部２１の外周側に位置するＬＥＤ素子３０から出たワイヤ３１は、回路基板２０の配線パターン２２Ａ，２２Ｂに接続される。これにより、各ＬＥＤ素子３０にはワイヤ３１を介して電流が供給される。
【００２１】
樹脂枠４０は、回路基板２０の開口部２１の大きさに合わせて例えば白色の樹脂で構成されたほぼ矩形の枠体であり、回路基板２０の上面における開口部２１の外周部分に固定される。樹脂枠４０は、封止樹脂５０の流出しを防止するためのダム材であり、また、ＬＥＤ素子３０から側方に出射された光を、発光装置１の上方（ＬＥＤ素子３０から見て実装基板１０とは反対側）に向けて反射させる。
【００２２】
なお、発光装置１では、実装基板１０上の実装領域、回路基板２０の開口部２１および樹脂枠４０が矩形になっているが、これらは円形などの他の形状であってもよい。
【００２３】
封止樹脂５０は、第２の樹脂の一例であり、開口部２１内に注入されて、複数のＬＥＤ素子３０の露出部（例えば、ＬＥＤ素子３０の上面や、最も外側に実装されたＬＥＤ素子３０の樹脂枠４０側の側面など）の周囲を覆う。これにより、封止樹脂５０は、複数のＬＥＤ素子３０およびワイヤ３１の全体を一体に被覆し保護（封止）する。例えば、封止樹脂５０としては、エポキシ樹脂またはシリコーン樹脂などの無色かつ透明な樹脂を、特に２５０℃程度の耐熱性がある樹脂を使用するとよい。
【００２４】
また、封止樹脂５０には、黄色蛍光体などの蛍光体（後述する図２の蛍光体５１）が分散混入されている。黄色蛍光体は、ＬＥＤ素子３０が出射した青色光を吸収して黄色光に波長変換する、例えばＹＡＧ（yttrium aluminum garnet）などの粒子状の蛍光体材料である。発光装置１は、青色ＬＥＤであるＬＥＤ素子３０からの青色光と、それによって黄色蛍光体を励起させて得られる黄色光とを混合させることで得られる白色光を出射する。
【００２５】
あるいは、封止樹脂５０は、例えば緑色蛍光体と赤色蛍光体などの複数種類の蛍光体を含有してもよい。緑色蛍光体は、ＬＥＤ素子３０が出射した青色光を吸収して緑色光に波長変換する、例えば（ＢａＳｒ）２ＳｉＯ４：Ｅｕ２＋などの粒子状の蛍光体材料である。赤色蛍光体は、ＬＥＤ素子３０が出射した青色光を吸収して赤色光に波長変換する、例えばＣａＡｌＳｉＮ３：Ｅｕ２＋などの粒子状の蛍光体材料である。この場合、発光装置１は、青色ＬＥＤであるＬＥＤ素子３０からの青色光と、それによって緑色蛍光体および赤色蛍光体を励起させて得られる緑色光および赤色光とを混合させることで得られる白色光を出射する。
【００２６】
透明樹脂６０は、第１の樹脂の一例であり、封止樹脂５０と同様のエポキシ樹脂またはシリコーン樹脂などの無色かつ透明な樹脂であるが、封止樹脂５０とは異なり蛍光体を含有しない。透明樹脂６０は、封止樹脂５０が開口部２１内に注入される前に複数のＬＥＤ素子３０の間にある隙間に注入されることで、ＬＥＤ素子３０の素子間を埋め尽くしている。すなわち、透明樹脂６０は、複数のＬＥＤ素子３０の素子間における各ＬＥＤ素子３０の下端から上端までの空間を塞いでいる。
【００２７】
ツェナーダイオード７０は、静電気などによりＬＥＤ素子３０が破壊されることを防ぐために回路基板２０上に設けられる。ツェナーダイオード７０は、複数のＬＥＤ素子３０と並列に配線パターン２２Ａ，２２Ｂに接続され（後述する図７（Ａ）を参照）、ＬＥＤ素子３０に逆方向に電圧がかけられたときに電流をバイパスさせてＬＥＤ素子３０を保護する。
【００２８】
図２は、発光装置１の拡大断面図である。図２では、図１（Ｂ）におけるＬＥＤ素子３０の付近を拡大して示している。また、図２では、封止樹脂５０に含有されている蛍光体５１も図示している。発光装置１では、複数のＬＥＤ素子３０の素子間に透明樹脂６０が充填されていることにより、蛍光体５１は素子間には入り込まず、ＬＥＤ素子３０の上面よりも上側に存在する。蛍光体５１は封止樹脂５０内に均一に分散していてもよいが、図２では、蛍光体５１がＬＥＤ素子３０と透明樹脂６０の直上に沈殿した状態を示している。
【００２９】
仮に透明樹脂６０が存在せず、青色ＬＥＤであるＬＥＤ素子３０の素子間にも封止樹脂５０が充填されて蛍光体５１が入り込んでいたとすると、ＬＥＤ素子３０の上面からの出射光よりも側面からの出射光の方が、黄色蛍光体である蛍光体５１の層をより長く通って発光装置の外部に出射されるため、黄色光の強度が強くなる。すなわち、ＬＥＤ素子３０からの出射位置および出射方向によって黄色光の強度が変動するため、出射光の色味が設計値からずれてしまう。
【００３０】
しかしながら、発光装置１では、透明樹脂６０があることにより蛍光体５１がＬＥＤ素子３０の素子間に入り込まないので、ＬＥＤ素子３０から側方に出射された光であっても、素子間を通過してＬＥＤ素子３０の上面よりも上側に達するまでは色の変化が起こらない。このため、ＬＥＤ素子３０の上面からの出射光と側面からの出射光は、ＬＥＤ素子３０の上面よりも上側で同じ距離だけ蛍光体５１の層を通って発光装置１の外部に出射される。すなわち、発光装置１では、ＬＥＤ素子３０からの出射位置と出射方向によらずに出射光が蛍光体層を通過する距離が一定になる。したがって、発光装置１では、ＬＥＤ素子３０から側方に出射された光は色味のバラつきの原因にならず、実際の出射光の色味と目的の光の色味とのずれが生じにくくなるため、色度が均一な出射光が得られる。
【００３１】
なお、透明樹脂６０は、蛍光体５１の粒子が複数のＬＥＤ素子３０の素子間に実質的に入り込まないように素子間に配置されていればよく、必ずしも複数のＬＥＤ素子３０の素子間における各ＬＥＤ素子３０の下端から上端までの空間全体を埋め尽くしていなくてもよい。例えば、透明樹脂６０によりＬＥＤ素子３０の素子間の上端が塞がれ、素子間に気泡が存在することにより、透明樹脂６０が充填されていない箇所が一部にあってもよい。
【００３２】
図２では、開口部２１の内壁と外周側に位置するＬＥＤ素子３０との間の外周部分５２にも透明樹脂が充填され、蛍光体５１が入り込んでいない状態を示している。出射光が蛍光体層を通過する距離を一定にして色味の変動をなくすためには、外周部分５２にも透明樹脂６０を充填することが好ましい。ただし、蛍光体５１を沈殿させて、外周部分５２においてもＬＥＤ素子３０の上側とほぼ同等の厚さで蛍光体５１を配置できれば、必ずしも外周部分５２は透明樹脂６０で埋め尽くされていなくてもよい。あるいは、外周部分５２には、透明樹脂６０に代えて、蛍光体を含有しない白色樹脂を充填してもよい。
【００３３】
図３は、レンズ８０付きの発光装置１’の側面図である。発光装置１を照明装置として利用するときには、図３に示すように、例えば封止樹脂５０を覆うように、レンズ８０が回路基板２０の上面に載置される。レンズ８０は光学素子の一例であり、発光装置１内の複数のＬＥＤ素子３０から出射された光を集光して、発光装置１’の上方に出射する。レンズ８０を搭載し易くするためには、回路基板２０上において封止樹脂５０で覆われていない領域の面積を広げて、レンズ８０が載置される平面領域を確保するとよい。発光装置１では、複数のＬＥＤ素子３０が密集して実装され、素子数を減らさずに発光部（発光エリア）を狭くすることができるため、ＬＥＤ素子３０からの出射光を効率よくレンズ８０に入射させることが可能になる。
【００３４】
なお、発光装置１の用途によっては、例えばフィルタなど、レンズ８０以外の光学素子を回路基板２０の上に載置してもよい。例えば、レンズ８０ではなく平板形状の光学素子を通して、発光装置１内の複数のＬＥＤ素子３０からの光を出射させてもよい。
【００３５】
図４は、ＬＥＤ素子３０同士の実装間隔と発光装置１’の照度との関係を示すグラフである。グラフの横軸はＬＥＤ素子３０同士の実装間隔ｄ（μｍ）であり、縦軸は実装間隔ｄを０ｍｍとしたときの発光装置１’からの出射光の照度を基準とした相対照度Ｉである。なお、各ＬＥＤ素子３０は１ｍｍ角の矩形、レンズ８０の入射端部は直径１０ｍｍの円形である。図４では、実装間隔ｄが３０μｍのときと５０μｍのときの、レンズ８０を通した出射光の相対強度Ｉの最大値（Ｍａｘ）、平均値（Ａｖｅ）および最小値（Ｍｉｎ）をそれぞれ示している。図４に示すように、相対強度Ｉの最小値については、レンズ８０の組込みのバラつきに起因して、実装間隔ｄが３０μｍのときと５０μｍのときは実装間隔ｄが０μｍのときと比べて２０％程度低下している。しかしながら、相対強度Ｉの最大値と平均値については、図示した範囲では実装間隔ｄによらずにほぼ一定である。
【００３６】
ＬＥＤ素子３０同士の実装間隔ｄは、レンズ８０で集光するためには狭いほど発光点が小さくなるので好ましい。しかしながら、実装間隔ｄは、例えば隣接するＬＥＤ素子３０同士で短絡が発生しないように、最低でも５μｍ程度は確保する必要がある。また、実装間隔ｄをあまり広げ過ぎると、レンズ８０の入射端部の直径に対する複数のＬＥＤ素子３０による発光径が大きくなって光の損失が生じるため、発光装置１’からの出射光の照度は低下する。例えば、図４の測定に用いたレンズ８０を使用する場合には、実装間隔ｄの上限は５０μｍ程度が好ましい。また、実装間隔ｄが５０μｍ程度以下であると、発光装置１の製造時に、ＬＥＤ素子３０の素子間に透明樹脂６０を充填する工程が容易になる。したがって、複数のＬＥＤ素子３０は、隣接するＬＥＤ素子３０同士の間隔が５μｍ以上かつ５０μｍ以下になるように実装基板１０上に密集させて実装することが好ましい。
【００３７】
ただし、ＬＥＤ素子３０同士の実装間隔ｄの上限は、レンズ８０として例えば図４の測定に用いたものよりも大きなレンズを使用するなど、レンズ８０の大きさや形状を変えれば、２００μｍ程度まで大きくすることが可能である。したがって、隣接するＬＥＤ素子３０同士の実装間隔は、５μｍ以上かつ２００μｍ以下であってもよい。
【００３８】
図５（Ａ）〜図８（Ｃ）は、発光装置１の製造工程を示す上面図および断面図である。図５（Ｂ）、図５（Ｃ）、図６（Ｂ）、図６（Ｃ）、図７（Ｂ）、図７（Ｃ）、図８（Ｂ）および図８（Ｃ）は、それぞれ、図５（Ａ）のＶＢ−ＶＢ線、ＶＣ−ＶＣ線、図６（Ａ）のＶＩＢ−ＶＩＢ線、ＶＩＣ−ＶＩＣ線、図７（Ａ）のＶＩＩＢ−ＶＩＩＢ線、ＶＩＩＣ−ＶＩＩＣ線、図８（Ａ）のＶＩＩＩＢ−ＶＩＩＩＢ線およびＶＩＩＩＣ−ＶＩＩＩＣ線に沿った断面を示す。
【００３９】
発光装置１の製造時には、まず、図５（Ａ）〜図５（Ｃ）に示すように、実装基板１０と開口部２１を有する回路基板２０とが、重ね合わされて貼り合わされる。そして、図６（Ａ）〜図６（Ｃ）に示すように、回路基板２０の開口部２１内で露出している実装基板１０の上面に、複数のＬＥＤ素子３０が互いに５〜５０μｍの間隔を開けて実装される。このとき、回路基板２０の上面における配線パターン２２Ａと配線パターン２２Ｂの間に、ツェナーダイオード７０も実装される。次に、図７（Ａ）〜図７（Ｃ）に示すように、近接するＬＥＤ素子３０同士がワイヤ３１で互いに電気的に接続され、開口部２１の外周側のＬＥＤ素子３０から出たワイヤ３１が配線パターン２２Ａ，２２Ｂに接続される。このとき、ツェナーダイオード７０も、ワイヤ７１で配線パターン２２Ａ，２２Ｂに接続される。
【００４０】
続いて、図８（Ａ）〜図８（Ｃ）に示すように、回路基板２０の上面における開口部２１の外周部分に樹脂枠４０が固定される。そして、蛍光体を含有しない透明樹脂６０を複数のＬＥＤ素子３０の素子間に配置し、さらに、蛍光体を含有する封止樹脂５０で複数のＬＥＤ素子３０の露出部の周囲を覆って、複数のＬＥＤ素子３０の全体を封止する。以上の工程により、図１（Ａ）〜図１（Ｃ）に示す発光装置１が完成する。
【００４１】
透明樹脂６０は、例えば、互いに５〜５０μｍの間隔を開けてＬＥＤ素子３０を実装基板１０上に接着させて、ダイボンド用の接着剤が硬化した後に、上方から素子間に注入される。あるいは、実装基板１０上に実装された複数のＬＥＤ素子３０の素子間に側方から透明樹脂６０を注入し、毛細管現象を利用してその樹脂を素子間に広がらせることにより、複数のＬＥＤ素子３０の素子間を透明樹脂６０で塞いでもよい。これらの方法により、複数のＬＥＤ素子３０の素子間における各ＬＥＤ素子３０の下端から上端までの空間が、透明樹脂６０で塞がれる。特に、毛細管現象を利用する場合には、ＬＥＤ素子３０同士の実装間隔は５０μｍ程度以下であることが好ましい。
【００４２】
あるいは、ダイボンド用の接着剤を介して比較的大きな間隔を開けてＬＥＤ素子３０を実装基板１０上に配置し、接着剤の硬化前に素子同士の間隔を５〜５０μｍの範囲に縮めて接着剤を素子間にはみ出させることにより、接着剤で素子間を塞いでもよい。この場合には、透明樹脂６０を別途素子間に注入する必要はなく、複数のＬＥＤ素子３０を実装基板１０に接着させるための接着剤（ダイボンドペースト）が第１の樹脂に相当する。
【００４３】
あるいは、複数のＬＥＤ素子３０の素子間に充填される透明樹脂６０は、例えばワイヤ３１の保護のためにＬＥＤ素子３０の上面を覆うコーティング材などでもよい。すなわち、透明樹脂６０を別途素子間に注入せずに、コーティング材を透明樹脂６０として兼用してもよい。
【００４４】
図９（Ａ）〜図９（Ｃ）は、発光装置２の上面図および断面図である。図９（Ａ）は完成品としての発光装置２の上面図であり、図９（Ｂ）は図９（Ａ）のＩＸＢ−ＩＸＢ線に沿った断面図、図９（Ｃ）は図９（Ａ）のＩＸＣ−ＩＸＣ線に沿った断面図である。発光装置２は、主要な構成要素として、実装基板１０’、ＬＥＤ素子３０、樹脂枠４０、封止樹脂５０、透明樹脂６０およびツェナーダイオード７０を有する。発光装置２は、発光装置１にあった開口部２１を有する回路基板２０がないという点が発光装置１とは異なる。
【００４５】
実装基板１０’は、例えばセラミックスで構成された絶縁基板であり、その上面の中央にＬＥＤ素子３０が実装される実装領域を有する。発光装置２でも、発光装置１と同じ複数のＬＥＤ素子３０が、実装基板１０’の中央に格子状に配列して実装される。実装基板１０’の上面には、発光装置１の回路基板２０と同様に、＋電極側の配線パターン２２Ａと−電極側の配線パターン２２Ｂが形成されており、実装基板１０’の上面で対角に位置する２つの角部には、接続電極２３Ａ，２３Ｂが形成されている。また、実装基板１０’の上面には、ＬＥＤ素子３０の実装領域の外周部分および接続電極２３Ａ，２３Ｂの部分を除いて、配線パターン２２Ａ，２２Ｂを覆う白色レジスト２４が形成されている（後述する図１０（Ａ）を参照）。
【００４６】
樹脂枠４０は、実装基板１０’の実装領域の大きさに合わせて例えば白色の樹脂で構成された、発光装置１のものと同じほぼ矩形の枠体である。ただし、樹脂枠４０は、円形などの他の形状であってもよい。封止樹脂５０は、実装基板１０’上の樹脂枠４０で囲われた部分に注入されて、複数のＬＥＤ素子３０の全体を一体に被覆し保護（封止）する。封止樹脂５０は、発光装置１のものと同じように、蛍光体が分散混入された、シリコーン樹脂などの耐熱性を有する樹脂である。
【００４７】
透明樹脂６０は、発光装置１のものと同じように、蛍光体を含有しないエポキシ樹脂またはシリコーン樹脂などの無色かつ透明な樹脂である。透明樹脂６０は、封止樹脂５０が注入される前に複数のＬＥＤ素子３０の間にある隙間に注入されることで、ＬＥＤ素子３０の素子間に蛍光体が入り込まないように、素子間を埋め尽くしている。ツェナーダイオード７０は、実装基板１０’上で複数のＬＥＤ素子３０と並列に配線パターン２２Ａ，２２Ｂに接続されて（後述する図１２（Ａ）を参照）、ＬＥＤ素子３０に逆方向に電圧がかけられたときにＬＥＤ素子３０を保護する。
【００４８】
発光装置２でも、透明樹脂６０があることにより封止樹脂５０内の蛍光体がＬＥＤ素子３０の素子間に入り込まないので、ＬＥＤ素子３０からの出射位置と出射方向によらずに出射光が蛍光体層を通過する距離は一定になる。このため、発光装置２でも、実際の出射光の色味と目的の光の色味とのずれは生じにくくなり、色度が均一な出射光が得られる。
【００４９】
なお、発光装置２でも、蛍光体５１の粒子が複数のＬＥＤ素子３０の素子間に実質的に入り込まなければ、透明樹脂６０は、必ずしも複数のＬＥＤ素子３０の素子間における各ＬＥＤ素子３０の下端から上端までの空間全体を埋め尽くしていなくてもよい。
【００５０】
また、発光装置２でも、樹脂枠４０と外周側に位置するＬＥＤ素子３０との間の外周部分にも、透明樹脂６０または白色樹脂を充填することが好ましい。ただし、封止樹脂５０内の蛍光体を沈殿させて、外周部分においてもＬＥＤ素子３０の上側とほぼ同等の厚さで蛍光体を配置できれば、必ずしも外周部分は透明樹脂６０または白色樹脂で埋め尽くされていなくてもよい。
【００５１】
また、発光装置２でも、封止樹脂５０を覆うように発光装置１’と同様のレンズ８０などの光学素子を実装基板１０’の上面に載置してもよい。また、発光装置２でも、発光装置１と同様に、隣接するＬＥＤ素子３０同士の間隔が５μｍ以上かつ５０μｍ以下、あるいは５μｍ以上かつ２００μｍ以下になるように、複数のＬＥＤ素子３０を実装基板１０’上に密集させて実装することが好ましい。
【００５２】
図１０（Ａ）〜図１３（Ｃ）は、発光装置２の製造工程を示す上面図および断面図である。図１０（Ｂ）、図１０（Ｃ）、図１１（Ｂ）、図１１（Ｃ）、図１２（Ｂ）、図１２（Ｃ）、図１３（Ｂ）および図１３（Ｃ）は、それぞれ、図１０（Ａ）のＸＢ−ＸＢ線、ＸＣ−ＸＣ線、図１１（Ａ）のＸＩＢ−ＸＩＢ線、ＸＩＣ−ＸＩＣ線、図１２（Ａ）のＸＩＩＢ−ＸＩＩＢ線、ＸＩＩＣ−ＸＩＩＣ線、図１３（Ａ）のＸＩＩＩＢ−ＸＩＩＩＢ線およびＸＩＩＩＣ−ＸＩＩＩＣ線に沿った断面を示す。
【００５３】
発光装置２の製造時には、まず、図１０（Ａ）〜図１０（Ｃ）に示すような、配線パターン２２Ａ，２２Ｂ、接続電極２３Ａ，２３Ｂおよび白色レジスト２４が形成された実装基板１０’が用意される。そして、図１１（Ａ）〜図１１（Ｃ）に示すように、実装基板１０’の中央に、複数のＬＥＤ素子３０が互いに５〜５０μｍの間隔を開けて実装される。このとき、実装基板１０’の上面における配線パターン２２Ａと配線パターン２２Ｂの間に、ツェナーダイオード７０も実装される。次に、図１２（Ａ）〜図１２（Ｃ）に示すように、近接するＬＥＤ素子３０同士がワイヤ３１で互いに電気的に接続され、実装領域の外周側のＬＥＤ素子３０から出たワイヤ３１が配線パターン２２Ａ，２２Ｂに接続される。このとき、ツェナーダイオード７０も、ワイヤ７１で配線パターン２２Ａ，２２Ｂに接続される。
【００５４】
続いて、図１３（Ａ）〜図１３（Ｃ）に示すように、実装基板１０’の実装領域の外周部分に樹脂枠４０が固定される。そして、蛍光体を含有しない透明樹脂６０を複数のＬＥＤ素子３０の素子間に配置し、さらに、蛍光体を含有する封止樹脂５０で複数のＬＥＤ素子３０の露出部の周囲を覆って、複数のＬＥＤ素子３０の全体を封止する。以上の工程により、図９（Ａ）〜図９（Ｃ）に示す発光装置２が完成する。
【００５５】
なお、発光装置１，２における透明樹脂６０は、白色樹脂であってもよい。すなわち、第１の樹脂として、蛍光体を含有しない白色樹脂を用いても、発光装置１，２と同様に、実際の出射光の色味と目的の光の色味とのずれは生じにくくなり、色度が均一な出射光が得られる。
【００５６】
また、上記の発光装置１，２ではＬＥＤ素子３０はワイヤボンディングで実装されていたが、上記の構成は、ＬＥＤ素子がフリップチップ実装される発光装置にも同様に適用可能である。すなわち、実装基板上に密集してフリップチップ実装された複数のＬＥＤ素子の素子間を透明樹脂で塞げば、封止樹脂内の蛍光体が素子間に入り込まなくなるため、発光装置１，２と同様に、実際の出射光の色味と目的の光の色味とのずれは生じにくくなり、色度が均一な出射光が得られる。
【図１】
2016194404.tif 000003
【図２】
2016194404.tif 000004
【図３】
2016194404.tif 000005
【図４】
2016194404.tif 000006
【図５】
2016194404.tif 000007
【図６】
2016194404.tif 000008
【図７】
2016194404.tif 000009
【図８】
2016194404.tif 000010
【図９】
2016194404.tif 000011
【図１０】
2016194404.tif 000012
【図１１】
2016194404.tif 000013
【図１２】
2016194404.tif 000014
【図１３】
2016194404.tif 000015
【国際調査報告】
2016194404.tif 000016
2016194404.tif 000017
2016194404.tif 000018
2016194404.tif 000019